【事件の表示】
　特許第３３０３８７７号「ガス放電表示装置」の請求項１に係る特許に対する特許異議の申立てについて、次のとおり決定する。
【結　論】
　訂正を認める。
　特許第３３０３８７７号の請求項１に係る特許を維持する。
【理　由】
１．手続きの経緯
　特許第３３０３８７７１号の請求項１ないし７に係る発明についての出願は、平成５年１０月８日に出願した特願平５−２５３２８０号の一部を平成１２年４月１２日（優先権主張平成４年１２月２８日）に新たな特許出願としたものであって、平成１４年５月１０日にその発明について特許の設定登録がなされた後、平成１５年１月２２日付けで特許異議申立人小原和子より請求項１に係る特許に対する特許異議の申立てがなされ、平成１５年５月２７日付けで請求項１に係る特許に対する取消理由通知がなされ、その指定期間である平成１５年７月２３日に訂正請求がなされ、平成１５年８月７日に特許異議申立人小原和子に対して審尋がなされたが、何らの応答もない。
　
　
２．訂正の適否についての判断
　
　２−１　訂正の内容
　特許権者が求めている訂正の内容は、以下のとおりである。
　
【訂正事項ａ】
特許請求の範囲の請求項１に記載されている
「内部に希ガスを封入した容器と、上記容器の外壁に設けた一対以上の外部電極と、上記外部電極に面した容器内壁に設けた蛍光体とを備えた放電ランプを複数配列し、互いに対をなす上記外部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、上記容器内部に封入する希ガスの封入圧力を６０Ｔｏｒｒ以上としたことを特徴とするガス放電表示装置。」を
「内部に希ガスを封入した容器と、上記容器の外壁に設けた一対以上の外部電極と、上記外部電極に面した容器内壁に設けた蛍光体とを備えた放電ランプを複数配列し、互いに対をなす上記外部電極間に上記放電ランプの放電開始電圧より低い所定の電圧の交流電圧
パルス
上記交流電圧パルスの立ち上がりと立ち下がりとの両方で、
に訂正する。
　
【訂正事項ｂ】
段落番号【００１４】及び【００６３】に記載されている
「交流電圧を印加して、上記外部電極に面した容器内壁に蓄積された壁電荷を放電させ、」を
「交流電圧
パルス
上記交流電圧パルスの立ち上がりと立ち下がりとの両方で、
に訂正する。
　
　
　２−２　訂正の目的の適否、新規事項の有無及び拡張・変更の存否
　
　上記の【訂正事項ａ】及び【訂正事項ｂ】に関連する記載として、願書に添付した明細書（以下、「特許明細書」という）には、
「【００３２】ぞの後、
ＢでＸラインにＸ側維持パルスＸSPが印加されるが、
画素Ｒ１１は先の書き込み期間で放電しているので、電極間に多数の電荷が存在しており、ＸSPで再び放電する。
【００３３】その後、
Ｃで
ラインが０電位になり、ＹラインにＹ側維持パルスＹSPが印加されると、
再び放電する。
【００３４】その後、ＤでＹSPが立ち下がりＹラインが０電位になると、電極間には壁電荷による電界が生じる。このとき電極間の放電空間にはまだ多量の空間電荷が存在しているので、壁電荷による電界だけでも放電する。この放電によって発生した電極部近傍の空間電荷によって、壁電荷の一部は消滅するが、残ったものはその後も残り続け、
再びＥでＸSPが印加されると、
再び放電する。
　
Ｘ側維持パルスＸSP
Ｙ側維持パルスＹSP
パルス
立ち上がりＢと立ち下がりＣで
「交流電圧
パルス
上記交流電圧パルスの立ち上がりと立ち下がりとの両方で、
　そうすると、上記の【訂正事項ａ】は、特許明細書に記載された事項の範囲内において、交流電圧を限定したものといえるから、特許請求の範囲の減縮を目的とするものであり、新規事項の追加にも該当しない。そして、上記訂正は実質上特許請求の範囲を拡張し、又は変更するものでもない。
　さらに、上記の【訂正事項ｂ】は、特許明細書に記載された事項と発明の詳細な説明の記載との整合性を図るため、明りょうでない記載の釈明を目的とするものであり、新規事項の追加にも該当しない。そして、上記訂正は実質上特許請求の範囲を拡張し、又は変更するものでもない。
　
　２−３　独立特許要件の判断
　請求項７は、訂正された請求項１を引用しており実質的に訂正されているので、独立特許要件について判断すると、当審が通知した取消理由通知書で引用した、刊行物１（「Prospects of Multicolor Capabilities in Plasma Display using Tubular Construction」 1973 SID INTERNATIONAL SYMPOSIUM DIGEST OF TECHNICAL PAPERS，Ｍａｙ　１６，１９７３　ｐｐ７８−７９）、刊行物２（特開平０３−２２５７４５号公報）のいずれにも、「交流電圧
パルス
上記交流電圧パルスの立ち上がりと立ち下がりとの両方で、
　したがって、請求項７に係る発明は、上記刊行物１に記載された発明と同一であるとも、上記刊行物１及び２に記載された発明から容易に発明をすることができたとも認められないから、特許出願の際独立して特許を受けることができるものである。
　
　２−４　むすび
　以上のとおりであるから、上記訂正は、特許法等の一部を改正する法律（平成６年法律第１１６号）附則第６条第１項の規定によりなお従前の例によるとされる特許法第１２０条の４第３項において準用する平成６年法律第１１６号による改正前の特許法第１２６条第１項ただし書、第２項及び第３項の規定に適合するので、当該訂正を認める。
　
　
３．特許異議の申立てについて
　
　３−１　本件発明
　上述のとおり、本件訂正請求は認められるので、本件発明は、訂正請求書に添付された全文訂正明細書の特許請求の範囲の請求項１に記載された事項により特定される次のとおりのものである。（以下、それぞれ「本件発明１」という。）
　
【請求項１】内部に希ガスを封入した容器と、上記容器の外壁に設けた一対以上の外部電極と、上記外部電極に面した容器内壁に設けた蛍光体とを備えた放電ランプを複数配列し、互いに対をなす上記外部電極間に上記放電ランプの放電開始電圧より低い所定の電圧の交流電圧
パルス
上記交流電圧パルスの立ち上がりと立ち下がりとの両方で、
　
　３−２　特許異議申立ての理由の概要
　特許異議申立人は、下記の甲第１号証を提出して、訂正前の請求項１に係る発明は、甲第１号証に記載された発明と同一であるから、本件の請求項１に係る特許は、特許法第２９条第１項の規定に違反してなされたものである旨主張する。
　　　　　　　　　　　　　　　記
甲第１号証：「Prospects of Multicolor Capabilities in Plasma Display using Tubular Construction」 1973 SID INTERNATIONAL SYMPOSIUM DIGEST OF TECHNICAL PAPERS，Ｍａｙ　１６，１９７３　ｐｐ７８−７９　（以下の「刊行物１」と同一。）
　
　３−３　取消理由の概要
　取消理由の概要は、
理由１．訂正前の請求項１に係る発明は、その出願前に頒布された下記の刊行物１に記載された発明であり、特許法第２９条第１項第３号に該当し、特許を受けることができない、
理由２．訂正前の請求項１に係る発明は、その出願前に頒布された下記の刊行物１〜２に記載された発明に基づいて、その出願前にその発明の属する分野における通常の知識を有するものが、容易に発明をすることができたものと認められるから、特許法第２９条第２項の規定により特許を受けることができない、
というものである。
　　　　　　　　　　　　　　　　記
刊行物１：「Prospects of Multicolor Capabilities in Plasma Display using Tubular Construction」 1973 SID INTERNATIONAL SYMPOSIUM DIGEST OF TECHNICAL PAPERS，Ｍａｙ　１６，１９７３　ｐｐ７８−７９　（申立人が提出した甲第１号証）
刊行物２：特開平０３−２２５７４５号公報　　
　
　３−４　各刊行物に記載された発明
　
　上記刊行物１（甲第１号証）には、Figure 1. 、Figure 2. 及びTable 1.とともに、
　
（１−１）「The objective of the work reported here was to investigate the feasibility of achieving multicolor capability with bistable plasma display panels using tublar-type construction.
 The tublar construction concept has been discussed previously. Basically it consists of an array of glass capillary tubes with orthogonal sets of drive electrodes bonded to their external surfaces.」（７８頁左欄４〜１１行）
（ここに報告する研究の目的は、管状構造を用いた双安定プラズマディスプレイの多色化実現性を探ることであった。
　管状構造の考えは、以前から議論されている。その考えは、基本的には、ガラス細管のアレイに、ガラス細管の外表面に貼り付けられた駆動電極の複数対を直交状態（マトリックス状）に配置するというものである。）
　
（１−２）「Figure 1 shows a technique by which a phosphor coating may be deposited on one of the interior walls of the glass capillary tubes.」（７８頁右欄３〜５行）
（図１は、ガラス細管の内壁の片側に蛍光体層をデポジットする方法を示している。）
　
（１−３）「Both static and dynamic characteristics are important in the operation of a plasma display. Static operation is the situation that exists when displayed information is not being altered. Dynamic operation when data is written or erased on the plasma panel.
　Typical static sustain voltage limits for phosphor-coated tubes are shown as a function of kryoton and xenon pressure in Figure 2.」（７８頁右欄３０〜３７行）
（静的及び動的特性は、共に、プラズマディスプレイの動作において重要である。静的動作は、表示情報が変化しないときの状態である。動的動作は、データがプラズマパネルに書き込まれたり消去されたりするときに発生する。
　図２に、蛍光体がコーティングされた管の、典型的な静的維持電圧の上限値及び下限値が、クリプトン及びキセノンの封入圧の関数として示されている。）
　
（１−４）「A rule of thumb which we use with our neon-filled plasma displays is that there is adequate dynamic margin when the static margin exceeds 15 percent.
Here,margin is defined as the quatient of the sustain range divided by the average sustain voltage in that range. With a krypton pressure of 400 Torr,the static sustain margin is approximately 20 percent for the abobe phosphers.　Alphanumeric information has been displayed by selectively erasing a fully lighted panel.」（７８頁右欄４３〜５１行）　
（経験的には、ネオン充填プラズマディスプレイについては、静的マージンが１５パーセント以上あれば、動的マージンは十分である。
ここに、マージンとは、維持電圧の上限値〜下限値の範囲を、その範囲の維持電圧の平均値で割った値である。クリプトンの封入圧が４００Ｔｏｒｒでは、静的な維持マージンは、上記種々の蛍光体について、約２０パーセントである。英数字情報が、全点灯パネルを部分的に消去することによって表示された。）
　
（１−５）「Table 1.Optical characteristics of a color plasma display panel with 0.030-inch element spacing and a sustain voltage amplitude of 400 volts at 50KHz.
　
　　Phosphor 　　　Gas 　　　Presssure 　　　　Brightness
　
　　　−           Kr        400Torr 
      −         　Xe        250Torr 
　
                                                        」（７９頁左欄Table 1.）
（表１．カラープラズマディスプレイの光学的特性、素子間距離０．０３０インチ、維持電圧４００Ｖ５０KＨｚ。
　
　　蛍光体　　　　ガス　　　　　　封入圧　　　　　明るさ
　
　　　−　　　　クリプトン　　４００Ｔｏｒｒ　
　　　−　　　　キセノン　　　２５０Ｔｏｒｒ　
　
　　　　　　　　　　　　　　　　　　　　　　　　　　　　　　）
　
が記載されている。
　
　上記刊行物２には、
（２−１）「かかる構造の希ガス放電灯１は、第３図に示すように、高周波点灯回路８を介して交流電源７に帯状電極６ａ，６ｂが接続され、両帯状電極６ａ，６ｂ間に所定の高周波高電圧、例えば３０ＫＨｚ，１６００Ｖが印加される。」（第３頁右上欄１５行〜同１９行）
　
（２−２）「ここで、各サンプルはガラスバルブ２として外径６ｍｍφ、肉厚０．５ｍｍ、長さ３００ｍｍ（φ６×０．５ｔ×３００ｌ）のソーダ製ガラスバルブ、帯状電極６ａ、６ｂとして幅員Ｗｍｍ、長さ３００ｍｍのアルミ箔、封入ガスとしてキセノンガス６５ｔｏｒｒとし、印加電源２８ＫＨｚ×１６００Ｖで点灯評価した。」（第３頁左下欄１１行〜同１６行）
　
（２−３）「封入圧を上昇することにより高い照度が得られるが、１００ｔｏｒｒ以上封入するとチラツキが発生する。このチラツキを防止するには点灯印加電圧が２０００Ｖ以上となり好ましくない。従って、封入圧は４５ｔｏｒｒ乃至１００ｔｏｒｒとすることが適切である。」（第４頁左上欄２０行〜同右上欄５行）
　
が記載されている。
　
　３−５　対比・判断
　
　本件発明と
刊行物１に記載された発明
「内部にクリプトン又はキセノン（希ガスに相当。）を封入したガラス細管（容器に相当。）と、上記ガラス細管（容器に相当。）の外表面（外壁に相当。）に貼り付けられた（設けたに相当。）複数対（一対以上に相当。）の駆動電極（外部電極に相当。）と、上記駆動電極（外部電極に相当。）に面したガラス細管の内壁（容器内壁に相当。）にデポジットした（設けたに相当。）蛍光体層（蛍光体に相当。）とを備えたガラス細管（放電ランプに相当。）をアレイに配列（複数配列に相当。）し、互いに対をなす上記駆動電極（外部電極に相当。）間に上記ガラス細管（放電ランプに相当。）の維持電圧（放電開始電圧より低い所定の電圧に相当。）の交流電圧を印加して、上記駆動電極（外部電極に相当。）に面したガラス細管の内壁（容器内壁に相当。）に蓄積された壁電荷を放電させ、上記ガラス細管（放電ランプに相当。）発光を維持して英数字表示（画像表示に相当。）を行う双安定駆動方式（メモリ駆動方式に相当。）によるプラズマディスプレイ（ガス放電表示装置に相当。）において、上記ガラス細管（容器に相当。）内部に封入するクリプトン又はキセノン（希ガスに相当。）の封入圧（封入圧力に相当。）を４００Ｔｏｒｒ又は２５０Ｔｏｒｒ（６０Ｔｏｒｒ以上に相当。）としたことを特徴とするプラズマディスプレイ（ガス放電表示装置に相当。）。」
とを対比すると、両者は
　
【一致点】
「内部に希ガスを封入した容器と、上記容器の外壁に設けた一対以上の外部電極と、上記外部電極に面した容器内壁に設けた蛍光体とを備えた放電ランプを複数配列し、互いに対をなす上記外部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、上記容器内部に封入する希ガスの封入圧力を６０Ｔｏｒｒ以上としたことを特徴とするガス放電表示装置。」で一致し
　
【相違点】
　本件発明は、交流電圧
パルス
交流電圧パルスの立ち上がりと立ち下がりとの両方で、
　刊行物１に記載された発明は、交流電圧が
パルスかどうか不明
交流電圧の立ち上がりと立ち下がりとの両方で
で相違する。
　
　そこで上記相違点について検討すると、
刊行物２には、「高周波点灯回路８」、「印加電源２８ＫＨｚ×１６００Ｖで点灯評価した。」との記載があるのみで、「交流電圧
パルス
交流電圧パルスの立ち上がりと立ち下がりとの両方で、
　したがって、本件発明は、刊行物１〜２に記載された発明に基づいて当業者が容易に発明をすることができたものであるとすることはできない。
　そして、本件発明は、その技術的事項により明細書記載の効果を奏するものと認められる。
　
４．むすび
　以上のとおりであるから、特許異議の申立ての理由及び証拠によっては本件の請求項１に係る特許を取り消すことはできない。
　また、他に本件の請求項１に係る特許を取り消すべき理由を発見しない。
　よって、結論のとおり決定する。
【異議決定日】
平成１５年１２月４日（２００３．１２．４）
【訂正の要旨】
審決（決定）の【理由】欄参照。
（５４）【発明の名称】
ガス放電表示装置
（５７）【特許請求の範囲】
　【請求項１】　内部に希ガスを封入した容器と、上記容器の外壁に設けた一対以上の外部電極と、上記外部電極に面した容器内壁に設けた蛍光体とを備えた放電ランプを複数配列し、互いに対をなす上記外部電極間に上記放電ランプの放電開始電圧より低い所定の電圧の交流電圧
パルス
上記交流電圧パルスの立ち上がりと立ち下がりとの両方で、
　上記容器内部に封入する希ガスの封入圧力を６０Ｔｏｒｒ以上としたことを特徴とするガス放電表示装置。
　【請求項２】　内部に希ガスを封入した容器と、上記容器の外壁に設けた外部電極と、上記外部電極に面した容器内壁に設けた蛍光体と、上記容器の内部に挿入された内部電極とを備えた放電ランプを複数配列し、上記外部電極及び上記内部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、
　上記容器内部に封入する希ガスの封入圧力を６０Ｔｏｒｒ以上としたことを特徴とするガス放電表示装置。
　【請求項３】　内部に希ガスを封入した容器と、上記容器の外壁に設けた一対以上の外部電極と、上記外部電極に面した容器内壁に設けた蛍光体とを備えた放電ランプを複数配列し、互いに対をなす上記外部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、
　上記各放電ランプは上記蛍光体の種類によってメモリ駆動における電気的特性が異なるものであって、上記電気的特性の違いに応じて別々に電圧印加手段を設け、上記各電圧印加手段により各放電ランプに印加する電圧のパルス波形を変えて各放電ランプのメモリ駆動における電気的特性を変化させたことを特徴とするガス放電表示装置。
　【請求項４】　内部に希ガスを封入した容器と、上記容器の外壁に設けた一対以上の外部電極と、上記外部電極に面した容器内壁に設けた蛍光体とを備えた放電ランプを複数配列し、互いに対をなす上記外部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、
　上記各放電ランプは上記蛍光体の種類によってメモリ駆動における電気的特性が異なるものであって、上記容器内部に封入する希ガスの封入圧力を上記各放電ランプのメモリ駆動における電気的特性の違いに応じて別々に調整し、メモリ駆動における電気的特性を変化させたことを特徴とするガス放電表示装置。
　【請求項５】　内部に希ガスを封入した容器と、上記容器の外壁に設けた外部電極と、上記外部電極に面した容器内壁に設けた蛍光体と、上記容器の内部に挿入された内部電極とを備えた放電ランプを複数配列し、上記外部電極及び上記内部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、
　上記各放電ランプは上記蛍光体の種類によってメモリ駆動における電気的特性が異なるものであって、上記電気的特性の違いに応じて別々に電圧印加手段を設け、上記各電圧印加手段により各放電ランプに印加する電圧のパルス波形を変えて各放電ランプのメモリ駆動における電気的特性を変化させたことを特徴とするガス放電表示装置。
　【請求項６】　内部に希ガスを封入した容器と、上記容器の外壁に設けた外部電極と、上記外部電極に面した容器内壁に設けた蛍光体と、上記容器の内部に挿入された内部電極とを備えた放電ランプを複数配列し、上記外部電極及び上記内部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、
　上記各放電ランプは上記蛍光体の種類によってメモリ駆動における電気的特性が異なるものであって、上記容器内部に封入する希ガスの封入圧力を上記各放電ランプのメモリ駆動における電気的特性の違いに応じて別々に調整し、メモリ駆動における電気的特性を変化させたことを特徴とするガス放電表示装置。
　【請求項７】　互いに対をなす電極間に放電ランプの放電開始電圧より低い所定の電圧の交流電圧パルスを印加して、上記電極に面した容器内壁に蓄積された壁電荷を放電させ、上記放電ランプの発光を維持する手段と、上記電極間に印加される交流電圧パルスの一方の極性の電圧パルスを１回以上除去し、他方の極性の電圧パルスを２回以上続けて印加することにより放電発光を停止する手段を備えたことを特徴とする請求項１乃至６のいずれかに記載のガス放電表示装置。
【発明の詳細な説明】
　【０００１】
　【産業上の利用分野】
　この発明は複数のガス放電ランプを用いて大画面を構成する大型カラーディスプレイ装置や電光掲示板などのガス放電表示装置に関するものである。
　【０００２】
　【従来の技術】
　ガラスバルブなどの誘電体容器の外壁に複数対の面状電極を設け、内部にキセノンなどの希ガスを封入した蛍光ランプを複数配列し、上記面状電極に印加される電圧を制御して、蛍光ランプを部分的に放電発光制御し、画像表示を行う表示装置が本出願人により発明され、例えば特開平５−８２１０１号公報に示されている。この種の表示装置は放電により希ガスのエキシマ（ｅｘｃｉｍｅｒ）を発生させ、エキシマから放射される紫外線により蛍光体を励起発光させるので高輝度・高効率である。
　【０００３】
　図１（ａ）及び（ｂ）は、例えば特開平５−８２１０１号公報に示されたこの種の表示装置を構成する蛍光ランプを示す斜視図および断面図であり、図において１は蛍光ランプ、２は蛍光ランプ１を構成するガラスバルブ、３はガラスバルブ２の内壁のほぼ半面に形成された蛍光体層、４は蛍光体層３の対向側であって蛍光体層が形成されていない光出力部である。５ａ、５ｂは蛍光体層３が形成されている部分の外壁に設けられ、画素６を構成する外部電極で、ガラスバルブ２の軸方向に沿って複数対設けられている。７は画素と画素の間にガラスバルブ２を窪ませて形成した窪み部である。またガラスバルブ２の内部にはキセノンなどの希ガスが封入されている。図１９において、８は上述の蛍光ランプ１を複数配列し各画素の電極をマトリクス状に接続して構成した表示装置である。
　【０００４】
　外部電極５ａ及び５ｂより交流電圧が印加されると、電極間で放電が起こり、放電によりガラスバルブ２の内壁の電極部表面上に希ガスのエキシマが生じ、このエキシマから放射される紫外線によって、ガラスバルブ２の内壁に形成された蛍光体層３を励起し可視光が光出力部４より照射される。このとき放電を起こした電極部しか発光しないので、画素とすることができる。従って、この蛍光ランプを複数配列することにより、画像表示を行うことができる。
　【０００５】
　一方、外部電極より印加された電力が、誘電体であるガラスを介して放電空間内部に供給され、放電発光が起こることにより表示を行う表示装置として、ＡＣ形プラズマディスプレイパネル（以下、ＡＣ−ＰＤＰと呼ぶ）がよく知られている。
　【０００６】
　このＡＣ−ＰＤＰの駆動方式の一つにメモリ駆動がある。即ちＡＣ−ＰＤＰは発光パネル自体が、放電発光状態と消灯状態の二つの状態を、容易に持続できるというメモリ機能を有しており、このメモリ機能を利用した駆動方式がメモリ駆動である。メモリ駆動はその動作期間が、書き込み、維持、消去期間に分かれており、書き込み期間で一度放電を起こした画素は、維持期間中、放電開始電圧より低い電圧で放電発光を持続し、消去期間で放電発光を停止する。このため走査時しか発光しないリフレッシュ駆動など他の駆動方式とは異なり、高輝度の画像表示が可能である。メモリ駆動はＡＣ−ＰＤＰでよく用いられている。
　【０００７】
　図２０（ａ）及び（ｂ）は、例えば、“プラズマディスプレイ”（大脇健一他：２１頁乃至２２頁，共立出版，１９８３年発行）に示された従来のＡＣ−ＰＤＰの構造を示す斜視図及び断面図である。図において、８は従来のＡＣ−ＰＤＰ、２ａ及び２ｂは従来のＡＣ−ＰＤＰ８を構成するガラス板で、ガラス板２ａ、２ｂの内側表面には線状電極５ａ，５ｂが互いに直行して設けられており、線状電極５ａ，５ｂの交点は放電により発光する画素６となっている。また、ガラス板２ａ，２ｂの内側表面には線状電極５ａ，５ｂを覆って、誘電体層１１が形成され、さらにその上には保護層１２が形成されており、図示していないが、ＡＣ−ＰＤＰ８の内側の適当な箇所には赤（Ｒ），緑（Ｇ），青（Ｂ）に発光する蛍光体が印刷などの方法で形成されており、ＡＣ−ＰＤＰ１の内部にはヘリウムとキセノンの混合ガスなどが封入されている。
　【０００８】
　ＡＣ−ＰＤＰの線状電極５ａ，５ｂ間には、放電開始電圧未満の交流電圧が常時印加されている（維持パルス）。電極間に放電開始電圧を越える電圧（書き込みパルス）が印加されると、電極間で放電を開始し、その後はＡＣ−ＰＤＰ内側の誘電体層表面に電荷が蓄積し壁電荷を形成するので、放電開始電圧未満の維持パルスでも放電発光を持続する。次に、電極間に微弱放電を起こすような電圧パルス（消去パルス）を印加すると、この放電によって発生した空間電荷が誘電体層表面の壁電荷と再結合し、壁電荷が消滅するので、その後は維持パルスが印加されても放電発光は起こらない。
　【０００９】
　図２１（ａ）及び（ｂ）は例えば上記同一文献に示された従来のＡＣ−ＰＤＰの消去方式（太幅消去法）及びその消去可能範囲（消去特性）を示す図である。図においてＳＰは従来のＡＣ−ＰＤＰ８の線状電極５ａ，５ｂ間に印加され、放電発光を持続するための維持パルス、ＥＰは微弱放電を起こして、放電発光を停止させるための消去パルスである。消去パルスは、維持パルスとほぼ同じ幅で、電圧値が小さいものである。図２１（ｂ）は消去パルス電圧値（横軸）と維持パルス電圧値（縦軸）の関係を示したもので、図の略三角形で囲まれた部分が消去可能範囲で、維持パルス電圧値、消去パルス電圧値はこの範囲に設定される。
　【００１０】
　またＡＣ−ＰＤＰでは上記太幅消去法のほかに、例えば同一文献に示された細幅消去法がある。これは維持パルスとほぼ同じ電圧値で、印加時間の短い消去パルスを印加して消去を行う方式で、太幅消去法に比べ消去可能範囲が大きい。すなわち消去パルスを印加し放電が起こると、逆極性の壁電荷を形成する前に電圧が除去されるので、電圧除去直後に残存していた壁電荷は、放電によって発生した空間電荷をクーロン力によって吸引し、再結合し、消滅する。太幅消去法は外部電圧による強制吸引によって、空間電荷と壁電荷を再結合させているため、消去可能範囲が略三角形になるが、細幅消去法は壁電荷自身の自然吸引力によって再結合を行っているので、壁電荷は常に０に収束し、消去可能範囲を大きくすることができる。
　【００１１】
　【発明が解決しようとする課題】
　このＡＣ−ＰＤＰで既に確立されているメモリ駆動方式を利用して前述のエキシマ発光によるガス放電表示装置を駆動することは有効な手段であるが以下のような課題がある。
　即ち、上記前者のようなエキシマ発光を利用した蛍光ランプを複数配列し、各画素の電極をマトリクス接続したガス放電表示装置では、ＡＣ−ＰＤＰと画素サイズが大きく異なるため、放電特性が異なり、メモリ駆動により駆動制御すべく上記ＡＣ−ＰＤＰの消去方式をそのまま採用しようとしても、大きな放電空間では空間電荷の残存量が多く消去動作が困難であるという問題点があった。
　【００１２】
　更に、異なる発光色の蛍光体を使用した蛍光ランプ間では、電極部表面に蛍光体層が形成されているので、放電開始電圧、最小維持電圧などの電気的特性が蛍光体の種類によって異なるため、複数の発光色の蛍光ランプを配列した画像表示装置でメモリ駆動しようとしても、上記ＡＣ−ＰＤＰのような消去方式では、各色毎の消去可能範囲が殆ど重ならず各画素の電極をマトリクスに接続し放電発光制御できないという問題点があった。
　【００１３】
　この発明は上記のような問題点を解消するためになされたもので、電気的特性が異なる放電ランプを複数配列した場合でも放電発光制御が可能なガス放電表示装置を得ることを目的とする。
　【００１４】
　【課題を解決するための手段】
　この発明に係るガス放電表示装置は、内部に希ガスを封入した容器と、この容器の外壁に設けた一対以上の外部電極と、この外部電極に面した容器内壁に設けた蛍光体とを備えた放電ランプを複数配列し、互いに対をなす外部電極間に上記放電ランプの放電開始電圧より低い所定の電圧の交流電圧
パルス
上記交流電圧パルスの立ち上がりと立ち下がりとの両方で、
　【００１５】
　また、内部に希ガスを封入した容器と、この容器の外壁に設けた外部電極と、この外部電極に面した容器内壁に設けた蛍光体と、上記容器の内部に挿入された内部電極とを備えた放電ランプを複数配列し、上記外部電極及び上記内部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、容器内部に封入する希ガスの封入圧力を６０Ｔｏｒｒ以上としたものである。
　【００１６】
　また、内部に希ガスを封入した容器と、この容器の外壁に設けた一対以上の外部電極と、この外部電極に面した容器内壁に設けた蛍光体とを備えた放電ランプを複数配列し、互いに対をなす外部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、上記各放電ランプは上記蛍光体の種類によってメモリ駆動における電気的特性が異なるものであって、上記電気的特性の違いに応じて別々に電圧印加手段を設け、上記各電圧印加手段により各放電ランプに印加する電圧のパルス波形を変えて各放電ランプのメモリ駆動における電気的特性を変化させたものである。
　【００１７】
　また、内部に希ガスを封入した容器と、この容器の外壁に設けた一対以上の外部電極と、この外部電極に面した容器内壁に設けた蛍光体とを備えた放電ランプを複数配列し、互いに対をなす外部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、上記各放電ランプは上記蛍光体の種類によってメモリ駆動における電気的特性が異なるものであって、上記容器内部に封入する希ガスの封入圧力を上記各放電ランプのメモリ駆動における電気的特性の違いに応じて別々に調整し、メモリ駆動における電気的特性を変化させたものである。
　【００１８】
　また、内部に希ガスを封入した容器と、この容器の外壁に設けた外部電極と、この外部電極に面した容器内壁に設けた蛍光体と、容器の内部に挿入された内部電極とを備えた放電ランプを複数配列し、外部電極及び内部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、上記各放電ランプは上記蛍光体の種類によってメモリ駆動における電気的特性が異なるものであって、上記電気的特性の違いに応じて別々に電圧印加手段を設け、上記各電圧印加手段により各放電ランプに印加する電圧のパルス波形を変えて各放電ランプのメモリ駆動における電気的特性を変化させたものである。
　【００１９】
　また、内部に希ガスを封入した容器と、この容器の外壁に設けた外部電極と、この外部電極に面した容器内壁に設けた蛍光体と、容器の内部に挿入された内部電極とを備えた放電ランプを複数配列し、外部電極及び内部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、上記各放電ランプは上記蛍光体の種類によってメモリ駆動における電気的特性が異なるものであって、上記容器内部に封入する希ガスの封入圧力を上記各放電ランプのメモリ駆動における電気的特性の違いに応じて別々に調整し、メモリ駆動における電気的特性を変化させたものである。
　【００２０】
　また、上記各ガス放電表示装置に対して、互いに対をなす電極間に放電ランプの放電開始電圧より低い所定の電圧の交流電圧パルスを印加して、上記電極に面した容器内壁に蓄積された壁電荷を放電させ、上記放電ランプの発光を維持すると共に、上記電極間に印加される交流電圧パルスの一方の極性の電圧パルスを１回以上除去し、他方の極性の電圧パルスを２回以上続けて印加することにより放電発光を停止するようにしたものである。
　【００２１】
　【作用】
　この発明におけるガス放電表示装置は、容器内部に封入する希ガスの封入圧力を６０Ｔｏｒｒ以上とすることにより放電ランプ内の空間電荷の再結合が促進され、維持電圧の設定範囲及び相関関係にある消去電圧の設定範囲が拡大する。
　この結果、電気特性が異なる放電ランプ間における維持電圧及び消去電圧の共通電圧範囲が拡大する。
　【００２２】
　また、電気的特性の異なる放電ランプ毎に別々に設けられた電圧印加手段により各放電ランプのメモリ駆動における電気的特性に適合したパルス波形の電圧が印加され、各放電ランプ毎に見掛け上統一した制御がなされる。
　【００２３】
　また、電気的特性の異なる放電ランプ毎に希ガスの封入圧力を個別に設定して各放電ランプのメモリ駆動における電気的特性を変化させることにより、各放電ランプの電気的特性が近似され、各放電ランプが同等に制御される。
　【００２４】
　また、互いに対をなす電極間に放電開始電圧より低い所定の維持電圧が印加されると、該電極付近に蓄積する壁電荷及び容器内に残存する空間電荷とで放電ランプが発光可能な電圧値に達し放電が起き、発光が維持する。
　さらに、交流電圧パルスの一方の極性が１回以上除去されると共に他方の極性が２回以上続けて印加されることにより、電極に蓄積された壁電荷が消滅し、維持電圧を印加しても放電ランプが発光可能な電圧値に達せず、発光が停止する。
　【００２５】
　【実施例】
実施例１．
　以下、この発明の一実施例を図を用いて説明する。図１において、１はこの発明の表示装置を構成する蛍光ランプ、２は蛍光ランプ１を構成する外径３ｍｍ、厚さ０．２ｍｍ、長さ１９２ｍｍの鉛ガラス製のガラスバルブ、ガラスバルブ２の内壁のほぼ半面には蛍光体層３が形成され、蛍光体層３の対向面は蛍光体層が形成されていない光出力部４となっており、ガラスバルブ２の内部にはキセノンなどの希ガスが所定の圧力で封入されている。蛍光体層３が形成されている部分の外壁には、長さ約４ｍｍ、幅約４ｍｍの外部電極５ａ，５ｂが電極間隔０．４ｍｍで設けられ画素６を構成し、ガラスバルブ２の軸方向に沿って１２ｍｍピッチで１６画素設けられており、１つの画素と隣合う画素との間には、ガラスバルブ２を窪ませて形成した窪み部７が設けられている。
　【００２６】
　また、図２（ａ）及び（ｂ）はこの発明の表示装置を示す正面斜視図及び背面斜視図で、８はこの発明の表示装置、１Ｒ，１Ｇ，１Ｂは表示装置８を構成する図１の構造の蛍光ランプである。１Ｒ，１Ｇ，１Ｂはそれぞれ赤（Ｒ）、緑（Ｇ）、青（Ｂ）の発光色の蛍光体層３が形成された蛍光ランプで、縦方向には同発光色、横方向にはＲ，Ｇ，Ｂの順に規則正しく配列され、必要画面サイズの表示面を構成している。また、各画素の外部電極５ａは縦方向に、外部電極５ｂは横方向にマトリクス接続されている。すなわち外部電極５ａは同色のランプのみ接続されており、表示データ内容に応じて電圧が印加されるデータライン（以下、Ｘラインと呼ぶ）で、また外部電極５ｂはＲ，Ｇ，Ｂの順に接続されており、走査用の走査ライン（以下、Ｙラインと呼ぶ）である。
　【００２７】
　図３はこの発明の表示装置の駆動部の概略を示すブロック図で、８はこの発明の表示装置、６は上記外部電極５ａ，５ｂより構成された画素、９はＸラインに接続されたＸ側駆動回路（データ側駆動回路）、１０はＹラインに接続されたＹ側駆動回路（走査側駆動回路）である。なお、図示していないがＸ側駆動回路９及びＹ側駆動回路１０は制御回路に接続されている。
　【００２８】
　このような構成の表示装置について動作を説明する。Ｘ側駆動回路９及びＹ側駆動回路１０よりＸライン及びＹラインに放電開始電圧以上の電圧が印加されると、その交点の画素６が放電発光する。Ｙラインは走査用ラインであるので、Ｙ方向に順次あるいは任意に走査して、電圧が印加される。Ｘラインはデータラインであるので、放電発光させたい画素がＹラインによって走査されたとき、放電発光させたい画素のＸラインに電圧を印加すると、その交点の画素が放電発光する。このようにして、任意の画素を放電発光させることができ、画像表示を得ることができる。また、メモリ駆動により駆動する場合は、全画素にほぼ常時維持パルスが印加されており、書き込み走査、消去走査を行うことにより、任意の画素を放電発光制御することができる。
　【００２９】
　以下、この発明の表示装置のメモリ駆動について詳しく説明する。図４は例えばこの発明の表示装置の画素Ｒ１１，Ｒ１２の駆動電圧波形を示したもので、上から順にＸＲ１，Ｙ１，Ｙ２電極に印加される電圧波形、及びＸＲ１−Ｙ１電極間，ＸＲ１−Ｙ２電極間の電圧波形である。図においてＸＳＰ及びＹＳＰはＸ側及びＹ側維持パルス、ＸＷＰ及びＹＷＰはＸ側及びＹ側書き込みパルスである。Ｘ側維持パルスＸＳＰ、Ｙ側維持パルスＹＳＰは２０〜２００ｋＨｚ程度で、Ｘ側書き込みパルスＸＷＰはＸ側維持パルスＸＳＰ２回以上に１回の割合で印加され得る。
　【００３０】
　Ｙ側電極は走査ラインであるから、動作期間が、書き込み、維持、消去期間に分かれており、その動作期間に対応した電圧パルスが各Ｙ側電極に印加され、消去期間以外は規則的にＹ側維持パルスＹＳＰが印加される。また、書き込み期間にはＹ側維持パルスとは逆極性のＹ側書き込みパルスＹＷＰが印加される。一方、Ｘラインはデータラインであるから、表示内容に応じて任意にＸ側書き込みパルスＸＷＰが印加され、Ｘ側維持パルスＸＳＰは常時規則的に印加される。なお、図４ではＸＷＰ，ＸＳＰ，ＹＳＰは負極性、ＹＷＰは正極性としたが、それぞれその逆でもよい。
　【００３１】
　次に図４のＡからＨまでの期間の動作を順を追って説明する。まずＡの書き込み期間前では、画素Ｒ１１，Ｒ１２は消灯状態である。次にＹ１書き込み期間にＹ１ラインにＹ側書き込みパルスＹＷＰが印加され、このとき同時にＸ側書き込みパルスＸＷＰが印加され、ＹＷＰとＸＷＰの合計電圧が放電開始電圧以上になり、画素Ｒ１１は放電を開始する。次にＹ２書き込み期間になると、Ｙ２ラインにＹ側書き込みパルスＹＷＰが印加されるが、このときＸ側書き込みパルスＸＷＰが印加されていないので、画素Ｒ１２は放電しない。
　【００３２】
　ぞの後、ＢでＸラインにＸ側維持パルスＸＳＰが印加されるが、この電圧値は消灯状態の画素が放電を開始することができない電圧値に設定してあるので、画素Ｒ１２は消灯状態を持続する。一方、画素Ｒ１１は先の書き込み期間で放電しているので、電極間に多数の電荷が存在しており、ＸＳＰで再び放電する。この放電により発生した電荷が、外部印加電圧ＸＳＰを打ち消す向きに、放電ランプ内壁の電極部表面に蓄積し（以下、壁電荷と呼ぶ）内部電界が弱くなり、放電が停止する。
　【００３３】
　その後、ＣでＸラインが０電位になり、ＹラインにＹ側維持パルスＹＳＰが印加されると、この外部印加電圧は壁電荷による電圧（以下、壁電圧と呼ぶ）と同方向であるので、両電圧の合計電圧が放電可能な電圧値以上となり、再び放電する。その後、再びＹＳＰを打ち消す向きに壁電荷が蓄積し、放電が停止する。
　【００３４】
　その後、ＤでＹＳＰが立ち下がりＹラインが０電位になると、電極間には壁電荷による電界が生じる。このとき電極間の放電空間にはまだ多量の空間電荷が存在しているので、壁電荷による電界だけでも放電する。この放電によって発生した電極部近傍の空間電荷によって、壁電荷の一部は消滅するが、残ったものはその後も残り続け、再びＥでＸＳＰが印加されると、外部印加電圧と壁電圧の合計が放電可能な電圧値以上となり、再び放電する。このように書き込み期間に放電した画素は壁電荷を利用して、維持期間は維持パルスで放電発光を持続するが、書き込み期間で放電しなかった画素は、維持パルスが印加されても消灯状態を持続する。
　【００３５】
　その後、Ｆの消去期間になるとＹＳＰが印加されず、Ｙラインは０電位のままであるので、ＸＳＰの立ち下がりで放電を起こし、この放電により壁電荷が消滅され、その後逆方向には蓄積されないので、次のＧでＸＳＰが印加されても放電することができない。この壁電荷を消滅することを消去動作と呼ぶ。その後、再び書き込み期間になり、各書き込み期間でＸＷＰが印加されると、画素Ｒ１１，Ｒ１２は放電し、Ｈ以後の維持期間は上述と同様に放電発光を持続し、再び次の消去期間で壁電荷を消滅し、放電発光を停止する。
　【００３６】
　このように壁電荷を利用し、点灯・消灯の状態を維持することができる特性がメモリ機能であり、ＡＣ−ＰＤＰやこの発明のガス放電方式の蛍光ランプ自体が本来持っている特性である。なお、図４で維持期間にＸＷＰが印加されているが、これはこのとき他のＹラインが書き込み期間であり、それに対する書き込みパルスであり、もちろんこれによって点灯あるいは消灯の状態は変化しない。
　【００３７】
　次に消去動作の原理について詳しく説明する。図５は本発明の表示装置の蛍光ランプの電圧波形と発光波形を示したものである。図のように本発明の表示装置は維持パルスの立ち下がりで放電が起こるが、一般にＡＣ−ＰＤＰでは維持パルスの立ち下がりで放電は起こらない。これは放電空間のサイズが本発明のものとＡＣ−ＰＤＰとで大きく違うため、放電によって生じた空間電荷の消滅に懸かる時間が大きく違うからである。
　【００３８】
　ＡＣ−ＰＤＰではパルスの立ち上がりで放電し、そのとき発生した電荷が電極に吸引されて、壁電荷を形成し、外部印加電圧を打ち消し、内部電界が放電持続不可能なまで弱くなると放電が停止する。その後、放電空間に残った空間電荷は、放電空間容積が小さいため、空間電荷の残存量が少なく、短期間で再結合を完了し、パルスの立ち下がりでは放電可能な程度までは残っていない。そのためパルスの立ち下がりでは放電せず、壁電荷は蓄積されたままの状態を持続する。したがってＡＣ−ＰＤＰでは細幅消去法のように、細幅消去パルスを印加し放電させ、この放電によって空間電荷を発生させ、その後は壁電荷自身の自然吸引力によって、壁電荷と空間電荷が再結合し、壁電荷を消滅させている。
　【００３９】
　一方、この発明の表示装置の蛍光ランプは、空間容量がＡＣ−ＰＤＰに比べはるかに大きいため、空間電荷の残存量が多く、図５のようにパルスの立ち下がりで必ず放電が起こるので、ＡＣ−ＰＤＰのように細幅消去パルスを印加せず、維持パルスの立ち下がりで起こる放電によって壁電荷を消滅することができる。これはＡＣ−ＰＤＰの細幅消去法と同様の原理、すなわち壁電荷自身の自然吸引力による壁電荷の消滅を応用したものである。したがって本実施例に示したように、一方の維持パルスを一回以上除去する消去方式は、放電空間が大きい場合のガス放電表示装置に適した特に有効な消去方式である。
　【００４０】
　次にこの蛍光ランプの放電特性について述べる。図６（ａ）は蛍光体をＧｄ２Ｏ３：Ｅｕ（赤）とし、内部にキセノンを７０Ｔｏｒｒ封入し、維持パルスの立ち下がりで起こる放電後の電極間の壁電荷及び空間電荷の残存量の時間的変化を示すものである。また、図６（ｂ）及び（ｃ）は蛍光体をそれぞれＧｄ２Ｏ３：Ｅｕ（赤）及びＢａＡｌ１２Ｏ１９：Ｍｎ（緑）とし、内部にキセノンを９０Ｔｏｒｒ封入したときのものである。図７は図６（ａ）乃至図（ｃ）の測定結果を得るために用いた電圧波形である。これは放電発光状態の画素において、図７のようにＹ側維持パルスＹＳＰの立ち下がりから、次にＸ電極に印加する電圧パルスの時間を変化させて、そのとき放電が起こる電圧値を測定し、時間を横軸に、電圧値を縦軸にグラフ化したものである。
　【００４１】
　なお、一つの図に複数本の測定結果があるが、これらはそれぞれ放電発光時のＸ側及びＹ側維持パルス（ＸＳＰ及びＹＳＰ、測定結果はＸＳＰ＝ＹＳＰ）の電圧値を変えたものである。この蛍光ランプは上述のように、壁電荷による電圧（壁電圧）と外部印加電圧の合計が放電可能な電圧値以上であれば放電する。放電可能な電圧値は電極間の空間電荷の残存量とも大きく関係する。すなわち空間電荷の残存量が多いと放電が起こり易く、放電可能な電圧値は低くなり、空間電荷残存量が少ないと、放電可能な電圧値は高くなる。したがって、図６（ａ）乃至（ｃ）で約２０μｓｅｃ以内でグラフが急激に上昇しているのは、空間電荷が多量に残存しているためで、時間が経つとグラフが飽和しているのは、空間電荷の残存量が非常に少なくなっているためである。
　【００４２】
　一方、グラフが飽和している電圧値が異なるのは、壁電荷の残存量が異なるためである。すなわち、壁電圧と外部印加電圧値の合計が放電可能な電圧値になると放電が起こるので、グラフの飽和電圧値が低いほど、壁電荷の残存量が低いということになる。したがって維持パルスの電圧値が低いと壁電荷の残存量が多いということになり、これは維持パルスの立ち下がりでの放電が小さいと、その放電によって発生する空間電荷量が少なく、壁電荷の再結合に利用される壁電荷近傍の空間電荷量も少ないためである。なお、約２０μｓｅｃ以内のグラフの上昇は封入ガス圧が高い方が急激であり、これは封入ガス圧が高いほど、空間電荷が互いに衝突する確率が高くなるため、空間電荷の再結合が起こり易くなるからである。
　【００４３】
　図６（ａ）乃至（ｃ）に示すように、グラフは維持パルス電圧値が最小維持電圧の約１．４倍の電圧値のとき最も急激に上昇し、最も高い電圧値で飽和している。ここで最小維持電圧とはＸ側維持パルスＸＳＰとＹ側維持パルスＹＳＰの電圧値を同じ値として、放電発光状態から電圧を徐々に低下させたときの、放電発光が維持可能な最小の電圧値である。このように最小維持電圧の１・４倍の電圧値でグラフが最も急激に上昇するのは、このとき壁電荷の蓄積量と、壁電荷の消滅に利用される空間電荷量が釣り合っており、１．４倍の電圧値以下では壁電荷の消滅に利用される空間電荷量が不足しており、壁電荷が蓄積されたまま残存し、１．４倍の電圧値以上では壁電荷を全て消滅しても、過剰の空間電荷が残存しているためである。Ｙ側維持パルスは維持期間において、放電発光を持続するためのものであるから、Ｙ側維持パルスの立ち下がりの放電で壁電荷を全て消滅させることは好ましくなく、したがって、Ｙ側維持パルスは最小維持電圧の１．４倍の電圧値以下にすることが望ましい。
　【００４４】
　また、消去動作はＹ側維持パルスを１回以上除去し、Ｘ側維持パルスの立ち下がりの放電によって行われるので、壁電荷の消滅に利用される空間電荷を多量に発生させるためにはＸ側維持パルス電圧値は高い方がよい。しかし、過剰の空間電荷が発生すると、Ｘ側あるいはＹ側のどちらか一方が印加されただけでも放電してしまうなど、他の動作に悪影響を与えるので好ましくない。図８（ａ）及び（ｂ）は例えば蛍光体をＢａＡｌ１２Ｏ１９：Ｍｎ（緑）及びＬａＰＯ４：Ｃｅ，Ｔｂ（黄緑）とし、図４の駆動方式で、維持パルス周波数を６１ｋＨｚとし、メモリ駆動した場合の正常動作電圧範囲を示したものである。これよりＸ側維持パルス電圧値は最小維持電圧値の１．１倍乃至１．６倍の範囲に設定することが望ましい。
　【００４５】
実施例２．
　図９はこの発明の他の実施例の駆動電圧波形を示す図であり、電圧波形は上から順に、Ｘ電極（データ側），Ｙｉ，Ｙｊ（走査側）電極に印加される電圧波形、及びＸ−Ｙｉ電極間，Ｘ−Ｙｊ電極間の電圧波形である。図においてＸＷＰ，ＹＷＰは上記実施例と同様、Ｘ側，Ｙ側書き込みパルスである。またＸＳＰ，ＹＳＰはともにＹ側電極に印加される正負の電圧パルスであるが、上記実施例のＸＳＰ，ＹＳＰと同様の働きをするので、本実施例においてもＸＳＰ，ＹＳＰとする。本実施例ではデータ側であるＸ電極は、表示内容に応じてＸ側書き込みパルスＸＷＰが印加され、それ以外のときはＧＮＤ電位に固定されている。また、走査側のＹ電極は各動作期間に応じて、正負の電圧パルスが印加される。この結果、Ｘ−Ｙ電極間の電圧波形は上記実施例と同様になり、上記実施例と同様の動作を行う。
　【００４６】
　なお、本実施例では上記実施例とは書き込み方式が異なっているが、書き込み方式は特にこれに限るものではなく、本出願の発明は電圧パルスの立ち下がりで起こる放電で消去動作を行うものであれば、どのような駆動方式でもよい。また、本実施例の書き込み方式では、Ｙ側書き込みパルスＹＷＰは維持パルス（ＸＳＰ）と同じ電圧値とし、パルス幅を書き込み期間にまで広げているもので、これにより、特にＹ側書き込みパルス用と維持パルス用のスイッチング素子や電圧源を、別々に設ける必要がなく、駆動回路を簡略化できる。
　【００４７】
実施例３．
　図１０及び１１はこの発明の他の実施例の電極間の電圧波形を示す図で、図１０は電極間電圧が０Ｖを経て、極性が変わる場合であり、図１１は電極間電圧が０Ｖを経ないで、極性が変わる場合である。このような電圧波形によって駆動される場合であっても、一方の極性の電圧パルスを１回以上除去し、他方の極性の電圧パルスを２回以上続けて印加することにより、電圧が０Ｖになるパルスの立ち下がりで消去放電が起こり、上記実施例と同様に消去動作が行える。
　【００４８】
実施例４．
　図１２は例えば、この発明の表示装置をＡＣ−ＰＤＰと同様に太幅消去法によってメモリ駆動した場合の消去期間の１画素に印加される電圧波形を示したものである。図において、正側の電圧パルスがＸ側電圧パルス、負側の電圧パルスがＹ側電圧パルスである。維持パルス周波数は１２２ｋＨｚ、パルス幅は約２μｓｅｃである。消去パルスはＹ側にのみ２個印加されている。図１３（ａ）及び（ｂ）は蛍光ランプ内壁に形成される蛍光体を、それぞれ（Ｙ，Ｇｄ）ＢＯ３：Ｅｕ（赤）及びＢａＡｌ１２Ｏ１９：Ｍｎ（緑）とし、蛍光ランプ内部に封入されるキセノンの封入圧力を変化させたときの消去パルス電圧値と維持パルス電圧値の関係を示したものである。また図１３（ｃ）はこれらを重ね合わせたものである。
　【００４９】
　これより、封入圧力が５０Ｔｏｒｒ以下では、消去可能範囲が従来の消去特性と同様、略三角形であり、この２色の蛍光ランプでは共通の消去可能範囲が得られない。しかし、封入圧力を６０Ｔｏｒｒ以上に高くしていくと、消去パルス電圧値０Ｖでも消去可能となり、消去可能範囲の形状が略三角形から略台形に近づく。この消去パルス電圧値を０Ｖとした場合は上記実施例と同一の消去原理となる。この２組の蛍光体を使用した表示装置では、（Ｙ，Ｇｄ）ＢＯ３：Ｅｕ（赤）が６０Ｔｏｒｒ以上のとき、ＢａＡｌ１２Ｏ１９：Ｍｎ（緑）を７０Ｔｏｒｒ以上にすれば、共通の消去可能範囲ができるので、放電発光制御が可能である。
　【００５０】
　このように、蛍光ランプ内に封入するキセノンの封入圧力を高くすると、太幅消去法でも消去可能範囲が拡大し、複数種類の蛍光体を使用した表示装置でも、メモリ駆動が可能になる。この表示装置の蛍光ランプは電極部表面に異なる種類の蛍光体層が形成されているので、蛍光体の種類によって二次電子放出係数などが異なり、このため電気的特性が異なる。上述のようにこの表示装置は画素サイズが大きく空間電荷の残存時間が長いことが消去動作において大きな問題であり、空間電荷の残存量が多いと放電可能な電圧値が低くなり、このため封入ガス圧が低いと空間電荷の残存量が多く、消去可能範囲が重ならなくなる。したがって、空間電荷の消滅を促進するため、封入ガス圧は高い方が良く、６０Ｔｏｒｒ以上が望ましい。
　【００５１】
　なお、本実施例では複数の発光色の蛍光ランプで構成された表示装置について述べたが、単色の発光色の蛍光ランプで構成された表示装置でも、各画素の消去可能範囲を拡大することができるので、画素間の電気的特性の影響を小さくすることができる。
　【００５２】
実施例５．
　図１４は画素を構成する外部電極をマトリクス状に接続し、同色の蛍光ランプに接続されたＸ側の電極に、蛍光体の発光色毎に別々のＸ側駆動回路を設けた、この発明のガス放電表示装置の他の実施例を示すブロック図である。図において表示装置８は上記実施例１に示したものと同一のものである。
　【００５３】
　図１５は例えば、蛍光体に（Ｙ，Ｓｃ）２ＳｉＯ５：Ｔｂ（黄緑）を用い、キセノンの封入圧力を５０Ｔｏｒｒとし、Ｙ電圧パルスを上記実施例４に示したものと同一条件とし、Ｘ電圧パルス幅を変化させたときの、消去可能範囲の変化を示したものである。このように、Ｘ電圧パルスのパルス幅、電圧値などを変えることにより、メモリ駆動特性を変化させることができるので、発光色毎に電気的特性の異なる蛍光ランプであっても、発光色毎に駆動回路を別々にすれば、画像表示装置として駆動制御が可能である。さらに、Ｘ側電圧パルスの電圧値、パルス幅を色毎に変えることにより、各色の輝度を別々に変えることができるので、輝度比、色バランスを調整することができる。
　【００５４】
実施例６．
　蛍光体の種類により放電開始電圧、最小維持電圧などの電気的特性が異なる蛍光ランプは、内部に封入する希ガスの圧力を調節することによって、電気的特性を近づけることができる。例えば、上記実施例１に示したように、蛍光体にＧｄ２Ｏ３：Ｅｕ（赤）を使用した蛍光ランプの封入圧力を８０Ｔｏｒｒとすると、ＢａＡｌ１２Ｏ１９：Ｍｎ（緑）を使用した蛍光ランプの封入圧力は９０Ｔｏｒｒ程度が適当である。また、蛍光体に（Ｙ，Ｓｃ）２ＳｉＯ５：Ｔｂ（黄緑）を使用したものは、Ｇｄ２Ｏ３：Ｅｕ（赤）やＢａＭｇＡｌ１４Ｏ２３：Ｅｕ２＋（青）を使用したものに比べ、放電開始電圧が高いので、例えば、これらを使用した画素表示装置では、Ｇｄ２Ｏ３：Ｅｕ（赤）：８０Ｔｏｒｒ、（Ｙ，Ｓｃ）２ＳｉＯ５：Ｔｂ（黄緑）：６０Ｔｏｒｒ、ＢａＭｇＡｌ１４Ｏ２３：Ｅｕ２＋（青）：８０Ｔｏｒｒ程度にすれば、駆動制御が可能である。
　【００５５】
実施例７．
　図１６（ａ）及び（ｂ）はともに円筒状のガラスバルブ２の端面のひとつを透明にして光出力部４とし、他の部分の内壁に単色の蛍光体層３を設けた場合の実施例を示す。外部電極５ａ，５ｂはガラスバルブ２の周面のほぼ全面に設けられている。これは極めて大きな光出力を必要な場合に適した構造である。図１７はこのような蛍光ランプを複数色マトリクスに配列し画像表示装置８としたものである。図において各蛍光ランプ１の外部電極５ａ，５ｂは上記実施例と同様、マトリクス接続されている。
　【００５６】
　このように１画素を１個の蛍光ランプで構成した表示装置においても、上記全ての実施例が適用でき、同様の効果が得られる。
　【００５７】
実施例８．
　図１８は円筒状のガラスバルブ２の端面のひとつを透明にして光出力部４とし、他の部分の内壁に単色の蛍光体層３を設けた場合の他の実施例を示す。ガラスバルブ２の周面のほぼ全面にはひとつの外部電極５ａが設けられ、光出力部４の反対側の端面から内部電極５ｂが蛍光ランプ１の内部に挿入されている。
　【００５８】
　このような構造の蛍光ランプでも電極間に電圧を印加すると、放電を起こし、外部電極５ａに面した、蛍光ランプ内壁の蛍光体層表面上に、エキシマを発生するので、高輝度・高効率の蛍光ランプが得られる。
　【００５９】
　この蛍光ランプ１を上記実施例と同様、複数色をマトリクス状に配列して構成した表示装置においても、上記実施例が適用でき、同様の効果が得られる。
　【００６０】
実施例９．
　上記実施例５乃至８では主にメモリ駆動について述べたが、この発明は特にメモリ駆動に限るものではなく、走査期間しか放電発光しないリフレッシュ駆動でも、同様の効果が得られる。
　【００６１】
　また、この発明は上記実施例１乃至８に示した蛍光ランプサイズ、蛍光体種類などのランプ構造、あるいは駆動周波数、および駆動波形などの駆動条件に限るものではない。
　【００６２】
実施例１０．
　上記実施例１乃至９では蛍光ランプ内にキセノンを封入した場合について述べたが、クリプトン、アルゴン、ネオン、ヘリウムなど他の希ガス、あるいは２種類以上の希ガスを混合したものでもよい。
　【００６３】
　【発明の効果】
　以上のように、この発明によれば、内部に希ガスを封入した容器と、この容器の外壁に設けた一対以上の外部電極又はこの容器の外壁に設けた外部電極及び容器の内部に挿入された内部電極と、この外部電極に面した容器内壁に設けた蛍光体とを備えた放電ランプを複数配列し、互いに対をなす外部電極間又は外部電極及び内部電極間に上記放電ランプの放電開始電圧より低い所定の電圧の交流電圧
パルス
上記交流電圧パルスの立ち上がりと立ち下がりとの両方で、
　【００６４】
　また、内部に希ガスを封入した容器と、この容器の外壁に設けた一対以上の外部電極又はこの容器の外壁に設けた外部電極及び容器の内部に挿入された内部電極と、この外部電極に面した容器内壁に設けた蛍光体とを備えた放電ランプを複数配列し、互いに対をなす外部電極間又は外部電極及び内部電極間に上記放電ランプの放電開始電圧より低い所定の電圧の交流電圧を印加して、上記外部電極に面した容器内壁に蓄積された壁電荷を放電させ、上記放電ランプの発光を維持して画像表示を行うメモリ駆動方式によるガス放電表示装置において、上記各放電ランプは上記蛍光体の種類によってメモリ駆動における電気的特性が異なるものであって、上記電気的特性の違いに応じて別々に電圧印加手段を設け、上記各電圧印加手段により各放電ランプに印加する電圧のパルス波形を変えて各放電ランプのメモリ駆動における電気的特性を変化させたので、表示装置を確実に駆動制御できるという効果が得られる。
　【００６５】
　また、内部に希ガスを封入した容器と、この容器の外壁に設けた一対以上の外部電極又はこの容器の外壁に設けた外部電極及び容器の内部に挿入された内部電極と、この外部電極に面した容器内壁に設けた蛍光体とを備えた放電ランプを複数配列し、互いに対をなす外部電極間又は外部電極及び内部電極間に上記放電ランプの放電開始電圧より低い所定の電圧の交流電圧を印加して、上記外部電極に面した容器内壁に蓄積された壁電荷を放電させ、上記放電ランプの発光を維持してメモリ駆動により画像表示を行うメモリ駆動方式によるガス放電表示装置において、上記各放電ランプは上記蛍光体の種類によってメモリ駆動における電気的特性が異なるものであって、上記容器内部に封入する希ガスの封入圧力を上記各放電ランプのメモリ駆動における電気的特性の違いに応じて別々に調整し、メモリ駆動における電気的特性を変化させたので、各放電ランプの電気的特性が近似され、表示装置を確実に駆動制御できるという効果が得られる。
　【００６６】
　また、互いに対をなす電極間に放電ランプの放電開始電圧より低い所定の電圧の交流電圧パルスを印加して、上記電極に面した容器内壁に蓄積された壁電荷を放電させ、上記放電ランプの発光を維持する手段と、上記電極間に印加される交流電圧パルスの一方の極性を１回以上除去し、他方の極性を２回以上続けて印加することにより放電発光を停止する手段とを備えたので、電圧の立ち下がりで放電が起こり、この放電を利用して壁電荷を消滅するので、メモリ駆動における消去動作が確実に行えるという効果が得られる。
【図面の簡単な説明】
　【図１】　この発明の表示装置を構成する蛍光ランプを示す斜視図及び断面図である。
　【図２】　この発明の表示装置を示す正面斜視図及び背面断面図である。
　【図３】　この発明の実施例１及び２の表示装置の駆動部の概略を示すブロック図である。
　【図４】　この発明の実施例１の表示装置の駆動電圧波形を示す図である。
　【図５】　この発明の表示装置の電圧波形と発光波形を示したものである。
　【図６】　この発明の表示装置の放電空間内部の電荷特性を示したものである。
　【図７】　この発明の表示装置の放電空間内部の電荷特性の測定に用いた電圧波形を示す図である。
　【図８】　この発明の実施例１の表示装置の動作電圧範囲を示す図である。
　【図９】　この発明の実施例２の表示装置の駆動電圧波形を示す図である。
　【図１０】　この発明の実施例３の表示装置の駆動電圧波形を示す図である。
　【図１１】　この発明の実施例３の表示装置の駆動電圧波形を示す図である。
　【図１２】　この発明の実施例２の表示装置の消去方式の電圧波形を示す図である。
　【図１３】　この発明の実施例２の希ガスの封入圧力と表示装置の消去可能範囲の関係を示す図である。
　【図１４】　この発明の実施例３の表示装置の駆動部の概略を示すブロック図である。
　【図１５】　この発明の実施例３によって消去可能範囲を調整することができることを示す図である。
　【図１６】　この発明の実施例５の表示装置を構成する蛍光ランプを示す斜視図である。
　【図１７】　この発明の実施例５の表示装置を示す斜視図である。
　【図１８】　この発明の実施例６の表示装置を構成する蛍光ランプを示す斜視図及び断面図である。
　【図１９】　従来の表示装置を示す斜視図である。
　【図２０】　従来のＡＣ−ＰＤＰの構造を示す斜視図及び断面図である。
　【図２１】　従来のＡＣ−ＰＤＰの消去方式の電圧波形及び消去可能範囲を示す図である。
　【符号の説明】
　１　蛍光ランプ、２　ガラスバルブ、３　蛍光体層、４　光出力部、５ａ，５ｂ　外部電極、６　画素、８　表示装置、９　Ｘ側駆動回路、１０　Ｙ側駆動回路。